(57)【特許請求の範囲】
【請求項１】
Ａ．発光素子を利用した調律用表示機器を格納するケースと、
Ｂ．このケースの両側に突出したラック実装用ブラケットと、
Ｃ．上記ケースの前面を覆い、ラック実装状態でラックの前面から前方に突出して配置された前面パネルと、
Ｄ．この前面パネルの下辺と上記ケースの底面板との間に格納され下向に光を出射する照明器具と、
によって構成され、
上記前面パネルの上辺と上記ケースとの間の距離は、上記前面パネルの下辺と上記ケースとの間の距離よりも短い、
ことを特徴とする照明器具付ラック実装型装置。
【請求項２】
請求項１記載の照明器具付ラック実装型装置において、上記照明器具は上記前面パネルの下辺とケースの底面板との間を塞ぐ底板に装着されている
構成としたことを特徴とする照明器具付ラック実装型装置。
【請求項３】
請求項１記載の照明器具付ラック実装型装置において、上記照明器具は上記前面パネルとケースの底面板との間を塞ぐ底板に一端が回動自在に支持されたアームの遊端部に装着され、不使用時は上記前面パネルとケースとの間を塞ぐ底板の下部に格納されていることを特徴とする照明器具付ラック実装型装置。
【請求項４】
請求項１記載の照明器具付ラック実装型装置において、上記前面パネルの下辺と上記ケースの底面板との間を塞ぐ底板を上記前面パネルの下辺に対してヒンジ結合し、上記底板を上記前面パネルの下辺と上記ケースの底面板との間を塞ぐ状態と、上記前面パネルの下辺から前方に突出する状態に反転可能とし、上記底板が前面パネルの下辺から前方に突出する状態にある上記底板の下向の面に上記照明器具を装着した照明器具付ラック実装型装置。
【発明の詳細な説明】
【０００１】
【発明の属する技術分野】
この発明はラックの最上部に実装され、ラックの下部に実装した他の機器の操作パネル面を照明する機能を具備した照明器具付ラック実装型装置に関する。
【０００２】
【従来の技術】
例えばステージの袖或はスタジオの隅等のように比較的暗い場所で使用されるラック実装型装置では、そのラックの最上部に照明器具付ラック実装型装置が実装され、この照明器具付ラック実装型装置の照明によってラックの下部に実装した機器の操作パネルを照明している。
図７にラックの実装例を示す。図中１００はラック、２００はこのラック１００の最上段に実装した照明器具付ラック実装型装置、３００はその下部に実装した他の装置を示す。
【０００３】
照明器具付ラック実装型装置２００の前面パネルに照明器具１０が装着されている。照明器具１０は図８に示すように前面パネル１１に対して出入り自在に支持された筒体１２が設けられる。筒体１２の前端には把手１３が装着され、この把手１３を手で把持して筒体１２を出し入れする。筒体１２には下向に切欠１２Ａが形成され、この切欠１２Ａの位置に光源となるランプ１４が装着される。ランプ１４は例えば筒体１２を少しでも引き出すとスイッチが入り点灯される。ランプ１４の点灯によりラック１００に実装した他の機器３００の表面パネルを照明し、暗い場所でも他の機器３００を操作できる状態を維持する。図７に示す例では装置２００に２個の照明器具を設けた場合を示す。
【０００４】
【発明が解決しようとする課題】
従来の照明器具付ラック実装型装置２００では筒体１２をケースの内部に格納しており、筒体１２はケースの内部のスペースを大きく占有する。このためケースの内部に本来の装置、例えば楽器の音が正しく調律されているか否かを表示する調律器、或は電源装置等を組込むためにはケースの体積を大きく確保しなければならなくなる欠点がある。つまり、装置２００の形状が大きくなってしまう欠点がある。
【０００５】
また、例えば楽器の音が正確に正規の周波数に調律されているか否かを測定しその測定結果を表示する調律器では調律の状態を表示する表示の方法としてＬＥＤのような発光素子を一列に配列し、その点灯位置により、楽器音の調律の状態を表示する表示方法を採る場合が多い。
このような表示方法を採る装置を下段部に実装した場合には上段に配置した装置の照明によって調律の状態を表示する表示器の表示が見難くなる欠点がある。この発明の第１の目的は照明器具付ラック実装型装置の形状を小型化することにある。この発明の第２の目的は発光素子の発光位置により測定の結果を表示する発光素子を利用した表示器付装置に対して下向に照明光を出射する照明器具を装着し、発光素子を利用した表示器付装置自体を必然的にラックの最上段に実装し、発光素子を利用した表示器付装置自体の表示が照明光に邪魔されずに表示することができる照明器具付ラック実装型装置を提供することにある。
【０００６】
【課題を解決するための手段】
この発明の請求項１では発光素子を利用した調律用表示機器を格納するケースと、このケースの両側に突出したラック実装用ブラケットと、ケースの前面を覆い、ラック実装状態でラックの前面から前方に突出して配置された前面パネルと、この前面パネルの下辺と上記ケースの底面板との間に格納され下向に光を出射する照明器具とによって構成され、上記前面パネルの上辺と上記ケースとの間の距離は、上記前面パネルの下辺と上記ケースとの間の距離よりも短い、ことを特徴とする照明器具付ラック実装型装置を提案する。
この発明の請求項２では請求項１記載の照明器具付ラック実装型装置において、照明器具は前面パネルの下辺とケースの底面板との間を塞ぐ底板に装着されている構成とした照明器具付ラック実装型装置を提案する。
【０００７】
この発明の請求項３では請求項１記載の照明器具付ラック実装型装置において、照明器具は前面パネルとケースの底面板との間を塞ぐ底板に一端が回動自在に支持されたアームの遊端部に装着され、不使用時は前面パネルとケースとの間を塞ぐ底板の下部に格納されている照明器具付ラック実装型装置を提案する。
この発明の請求項４では請求項１記載の照明器具付ラック実装型装置において、前面パネルの下辺とケースの底面板との間を塞ぐ底板を前面パネルの下辺に対してヒンジ結合し、底板を前面パネルの下辺とケースの底面板との間を塞ぐ状態と、前面パネルの下辺から前方に突出する状態に反転可能とし、底板が前面パネルの下辺から前方に突出する状態にある底板の下向の面に照明器具を装着した照明器具付ラック実装型装置を提案する。
作用
この発明の構成によれば、照明器具を前面パネルの下辺とケースの底面板との間を塞ぐ底面に装着するため、ケースの内部において照明器具が占める体積を小さくすることができる。つまりケースの内部を本来の装置に用いる率が向上し、ケースを小形化することができる。またケースに規模が大きい装置を組込むことが可能となる。
【０００８】
【発明の実施の形態】
図１及び図２にこの発明の請求項１及び２で提案する照明器具付ラック実装型装置の一実施例を示す。図中１００はラック、４００はこのラック１００の最上段に実装したこの発明による照明器具付ラック実装型装置を示す。この発明による照明器具付ラック実装型装置４００はケース４０１と、このケース４０１をラック１００に実装するブラケット４０２と、ケース４０１の前面を覆う前面パネル４０３と、この前面パネル４０３の下辺４０３Ａとケース４０１の底面板４０１Ａとの間を塞ぐ底板４０４と、この底板４０４に装着した照明器具４０５とを具備して構成される。
【０００９】
図１及び図２に示す実施例では前面パネル４０３を下辺４０３Ａに向うに従って前方に突出する傾斜した姿勢でケース４０１の前面に装着した場合を示す。従って、前面パネル４０３の下辺４０３Ａはケース４０１の前端（ラック１００の前面と同じ位置）より前方に突出して配置される。突出して配置される前面パネル４０３の下辺４０３Ａとケース４０１の底面板４０１Ａとの間の空隙部分に底板４０４を装着し、この空隙部分を閉塞する。
この発明ではこのラック１００の前面より前方に突出して配置された底板４０４に照明器具４０５を装着した構造を特徴とするものである。この実施例では底板４０４に図２に示すように２個の照明器具４０５を装着した場合を示す。照明器具４０５は光源４０５Ａと、反射板４０５Ｂとによって構成することができる。光源４０５Ａとしては高輝度型ＬＥＤ又は白色ランプ等を用いることができる。図の例では高輝度型ＬＥＤを用いた場合を示す。光源４０５Ａの点灯、消灯は前面パネル４０３に設けたスイッチにより行なうように構成することができる。
【００１０】
ケース４０１の内部には例えば楽器の音が正しく調律されているか否かを測定するための調律器を組込むか、或は他の装置３００（図７参照）に電源を供給する電源供給装置等を格納する。
図１及び図２に示した実施例から明らかなように、この発明によればラック１００の前面から前方に突出した底板４０４に照明器具４０５を下向に装着したから、この照明器具４０５を点灯させることにより装置４００より下側に実装した他の装置３００の前面パネルを照明することができる。照明器具４０５はその反射板４０５Ｂが底板４０４の裏側にわずかに突出するだけであり、ケース４０１内に占める率は低い。従って、ケース４０１内を装置の格納スペースとして有効に利用できる利点が得られる。
【００１１】
図３乃至図５はこの発明の請求項３で提案する照明器具付ラック実装型装置の実施例を示す。この実施例では前面パネル４０３の下辺４０３Ａとケース４０１の底面板４０１Ａとの間を塞ぐ底板４０４に一端が回動自在に支持されたアーム４０６を装着し、このアーム４０６の回動遊端に照明器具４０５を取付けた構造とした実施例を示す。
この実施例では前面パネル４０３の傾斜面部分の上下方向の寸法Ｌ１（図４参照）をケース４０１の前面の上下方向の寸法Ｌ２より短かく形成し、その差の段差部分（底板４０４の下部）にアーム４０６を格納し、照明器具４０５を使用する状態ではアーム４０６を回動して照明器具４０５を前方に引き出せばアーム４０６の長さに相当する量だけ照明器具４０５を前方に位置させることができる。
【００１２】
従って、この実施例によれば照明器具４０５を他の装置３００（図７参照）のパネル面より大きく前方に引き出すことができるから、他の装置３００のパネル面の照明の状態を改善することができる。尚、この場合にはアーム４０６の遊端を前方に回動させると照明器具４０５が点灯するように連動スイッチを設けることができる。
尚、図１及び図２では特に図示しなかったが、図４に発光素子を利用した表示器の一例を示す。全面パネル４０３の中央に横一列に発光部５００が設けられ、この発光部５００の何れかが発光して調律の状態を表示する。中央の０に対応する発光部が点灯すると、正しく調律している状態を表示していることになる。＋５０側に片寄った位置の発光部が点灯すると楽器音が高い周波数にずれていることを表し、−側は楽器音が低い周波数にずれていることを表す。
【００１３】
図６はこの発明の請求項４で提案する照明器具付ラック実装型装置の実施例を示す。この実施例では底板４０４を前面パネル４０３の下辺にヒンジ４０７で回動自在に装着し、底板４０４で前面パネル４０３の下辺とケース４０１の底面板４０１Ａとの間を塞ぐ状態と、底板４０４を前面パネル４０３の下辺から前方に突出した状態に反転できるように装着する。
底板４０４が前面パネル４０３の下辺とケース４０１の底面板４０１Ａとの間を塞ぐ姿勢にある状態で底板４０４の上向の面、つまりケース４０１の内側の面に照明器具４０５を装着する。
【００１４】
このように構成することにより、底板４０４を前面パネル４０３の下辺から前方に突出した姿勢に回動させると照明器具４０５は下向に引き出され、他の装置３００を照明することができる。またこの場合も底板４０４を前面パネル４０３の下辺から前方に突出した状態に回動したとき照明器具４０５が自動的に点灯するように構成することができる。
【００１５】
【発明の効果】
以上説明したように、この発明によれば前面パネル４０３の少なくとも下辺をラック１００の前面より前方に突出させ、その突出した部分に照明器具４０５を装着する構造としたからケース４０１内における照明器具４０５が占める体積をわずかにすることができる。この結果、ケース４０１の内容積を照明器具以外の装置に利用することができ、規模の大きい装置を組込むことができる効果が得られる。
【図面の簡単な説明】
【図１】この発明の請求項１及び２で提案する照明器具付ラック実装型装置の一実施例を示す一部を断面とした側面図。
【図２】図１を底面側から見た底面図。
【図３】この発明の請求項３で提案した照明器具付ラック実装型装置の一実施例を示す底面図。
【図４】図３を前面側から見た正面図。
【図５】図３を側面方向から見た側面図。
【図６】この発明の請求項４で提案した照明器具付ラック実装型装置の一実施例を示す一部を断面で示す側面図。
【図７】ラック実装の一例を説明するための正面図。
【図８】従来の照明器具付ラック実装型装置を説明するための断面図。
【符号の説明】
１００  ラック
４００  この発明の照明器具付ラック実装型装置
４０１  ケース
４０１Ａ  底面板
４０２  ブラケット
４０３  前面パネル
４０４  底板
４０５  照明器具
４０５Ａ  光源
４０５Ｂ  反射板
４０６  アーム
４０７  ヒンジ
【図１】
0004121755.tif 000002
【図２】
0004121755.tif 000003
【図３】
0004121755.tif 000004
【図４】
0004121755.tif 000005
【図５】
0004121755.tif 000006
【図６】
0004121755.tif 000007
【図７】
0004121755.tif 000008
【図８】
0004121755.tif 000009